(57)【要約】【課題】簡易かつ利便性のある構造を有し、かつ、機密保持に優れた文書回収箱を提供すること。【解決手段】文書を回収する文書回収箱１において、文書回収箱１は、文書を収容する内箱１００と、内箱１００を挿入するための開口２１０を備えた外箱２００から成り、内箱１００は、文書を投入する投入口１１０を有し、外箱２００は、内箱１００を外箱２００内に固定するための第１フラップ部２２０，２２２，２２４と、前記投入口１１０を封緘するための第２フラップ部２３０を有する。【選択図】図２
2008037470.tif 000002
【特許請求の範囲】
【請求項１】
文書を回収する文書回収箱において、
前記文書回収箱は、前記文書を収容する内箱と、前記内箱を挿入するための開口を備えた外箱から成り、
前記内箱は、前記文書を投入する投入口を有し、
前記外箱は、前記内箱を前記外箱内に固定するための第１フラップ部と、前記投入口を封緘するための第２フラップ部を有することを特徴とする文書回収箱。
【請求項２】
請求項１に記載の文書回収箱において、
前記内箱は、四角形状を成す上面と、前記上面の四辺のうち相対向する二辺に連設する一対の側面と、前記一対の側面に連設する底面を有し、
前記上面は、前記投入口を備えることを特徴とする文書回収箱。
【請求項３】
請求項２に記載の文書回収箱において、
前記投入口は、細幅かつ縦長の長穴形状を成し、前記投入口の幅方向と、前記一対の側面が相対向する方向が一致するように配置されたことを特徴とする文書回収箱。
【請求項４】
請求項２に記載の文書回収箱において、
前記投入口は、細幅かつ縦長の長穴形状を成し、前記投入口の長手方向と、前記一対の側面が相対向する方向が一致するように配置され、
前記内箱は、前記上面の、前記投入口の幅方向に相対向する二辺のうち、前記投入口が近接する一辺に連設し、前記内箱内に収容された前記文書が、前記開口と前記上面との間に形成される間隙から前記文書回収箱の外部へ放出されることを阻止する文書放出阻止片を有することを特徴とする文書回収箱。
【請求項５】
請求項３又は４に記載の文書回収箱において、
前記投入口は、前記上面の、前記投入口の幅方向に相対向する二辺のうち、いずれか一辺に近接する位置に配置されたことを特徴とする文書回収箱。
【請求項６】
請求項１ないし５のいずれか一項に記載の文書回収箱において、
前記開口は、四角形状を成し、
前記第１フラップ部は、前記開口の四辺に連設する少なくとも１以上の舌片を有し、
前記第２フラップ部は、前記開口の四辺のうち前記第１フラップ部が連設する辺以外の辺に連設することを特徴とする文書回収箱。
【発明の詳細な説明】
【技術分野】
【０００１】
本発明は、不要書類、特に不要になった機密書類をシュレッダー等で切断することなく回収し、再生紙として利用できるようにするための文書回収箱に関するものである。
【背景技術】
【０００２】
従来、企業などで、コンピュータやその他の事務機器から発生した書類が不要になった場合、特に機密書類については、外部への機密漏洩を防止するためシュレッダー等で切断した上で廃棄するのが一般的であったが、近年、例えば特許文献１、２に開示されているように、不要書類をシュレッダーで切断することなく、かつ、機密漏洩のおそれなく回収して、再生紙原料として使用できるようにするシステムが確立されつつある。
【０００３】
特許文献１に開示される技術は、金属製の外箱内に設置され、投入口が設けられたダンボール製の内箱に、不要になった機密書類を回収し、内箱が満杯になったら、外箱の扉をあけて外箱から内箱を取り出し、内箱の投入口をテープ等で封緘して製紙工場などに搬送し、内箱ごと、再生紙としてリサイクル処理するものである。
【０００４】
また、特許文献２に開示される技術は、ダンボール製の文書回収箱内に機密書類等を収納し、その文書回収箱を封印し、封印したまま回収して製紙工場に搬送し、文書回収箱ごと古紙パルプ化し、再生紙としてリサイクル処理するシステムである。
【０００５】
【特許文献１】特許３４８１２２１号公報
【特許文献２】特開平１１−２２９２８５号公報
【発明の開示】
【発明が解決しようとする課題】
【０００６】
しかし、かかる技術は以下に示す欠点を有していた。
【０００７】
特許文献１に示す文書回収箱については、不要書類で満杯になった内箱は、重さが数１０ｋｇにもなるため、外箱の扉を開けて内箱を取り出す作業が大変手間のかかるものとなるという欠点があった。
【０００８】
特許文献２に示すシステムに用いる文書回収箱は、機密文書を回収している間は、文書回収箱の内部が露出している状態であるため、外部から視認され易く、機密保持の点で問題があり、また、文書回収箱自体の構造が脆弱であったため、製紙工場への搬送途中に文書回収箱が破損し、内部の文書が外部へ放出されるおそれがあるという欠点があった。
【０００９】
そこで、本願発明は、簡易かつ利便性のある構造を有し、かつ、機密保持に優れた文書回収箱を提供することを目的とする。
【課題を解決するための手段】
【００１０】
請求項１に記載の発明は、文書を回収する文書回収箱において、前記文書回収箱は、前記文書を収容する内箱と、前記内箱を挿入するための開口を備えた外箱から成り、前記内箱は、前記文書を投入する投入口を有し、前記外箱は、前記内箱を前記外箱内に固定するための第１フラップ部と、前記投入口を封緘するための第２フラップ部を有することを特徴とする。
【００１１】
請求項２に記載の発明は、請求項１に記載の文書回収箱において、前記内箱は、四角形状を成す上面と、前記上面の四辺のうち相対向する二辺に連設する一対の側面と、前記一対の側面に連設する底面を有し、前記上面は、前記投入口を備えることを特徴とする。
【００１２】
請求項３に記載の発明は、請求項２に記載の文書回収箱において、前記投入口は、細幅かつ縦長の長穴形状を成し、前記投入口の幅方向と、前記一対の側面が相対向する方向が一致するように配置されたことを特徴とする。
【００１３】
請求項４に記載の発明は、請求項２に記載の文書回収箱において、前記投入口は、細幅かつ縦長の長穴形状を成し、前記投入口の長手方向と、前記一対の側面が相対向する方向が一致するように配置され、前記内箱は、前記上面の、前記投入口の幅方向に相対向する二辺のうち、前記投入口が近接する一辺に連設し、前記内箱内に収容された前記文書が、前記開口と前記上面との間に形成される間隙から前記文書回収箱の外部へ放出されることを阻止する文書放出阻止片を有することを特徴とする。
【００１４】
請求項５に記載の発明は、請求項３又は４に記載の文書回収箱において、前記投入口は、前記上面の、前記投入口の幅方向に相対向する二辺のうち、いずれか一辺に近接する位置に配置されたことを特徴とする。
【００１５】
請求項６に記載の発明は、請求項１ないし５のいずれか一項に記載の文書回収箱において、前記開口は、四角形状を成し、前記第１フラップ部は、前記開口の四辺に連設する少なくとも１以上の舌片を有し、前記第２フラップ部は、前記開口の四辺のうち前記第１フラップ部が連設する辺以外の辺に連設することを特徴とする。
【発明の効果】
【００１６】
請求項１に記載の発明によれば、文書回収箱は、文書を収容する内箱と、内箱を挿入するための開口を備えた外箱から成り、内箱は、文書を投入する投入口を有し、外箱は、内箱を外箱内に固定するための第１フラップ部と、投入口を封緘するための第２フラップ部を有するので、内箱及び外箱の二重構造となり、一重構造よりも構造が強固となる結果、製紙工場への搬送途中に文書回収箱が破損し、内部の文書が外部へ放出されるおそれがなくなり機密保持性が向上する。また、投入口を介してのみ文書回収箱の外部へと挿通した状態となり、投入口を可及的に小さくすれば、企業などで発生する大量の不要書類を投入口から文書回収箱内に投入して蓄えてゆく間、回収された文書回収箱内の文書が抜き取られるおそれがなくなり、更に機密保持性が向上する。また、文書回収箱内が文書でほぼ満杯になった後に、第２フラップ部を閉じることにより、投入口を封緘すれば、文書回収箱内は外部と遮断され、機密文書を含む文書の入った文書回収箱を製紙工場などへ運搬する過程でも文書が抜き取られるおそれがなくなり、更に機密保持性が向上する。
【００１７】
請求項２に記載の発明によれば、内箱は、四角形状を成す上面と、上面の四辺のうち相対向する二辺に連設する一対の側面と、一対の側面に連設する底面を有し、上面は、投入口を備えるので、内箱の展開状態において、上面と、一対の側面と、底面を連続した平板状に形成すれば、製造時において段ボール板の使用量を極力抑え、軽量化及びコストダウンを図ることができると共に、組み立て性を向上することができる。また、展開した状態または折り畳んだ状態で輸送できることから、個々の容積が少なくなり輸送効率に優れる。さらに、投入口を可及的に小さくすれば、投入口から文書回収箱内の文書を視認し難くなり、機密保持性を一層向上することができる
【００１８】
請求項３に記載の発明によれば、投入口は、細幅かつ縦長の長穴形状を成し、投入口の幅方向と、一対の側面が相対向する方向が一致するように配置されたので、投入口から文書を投入する方向に一方の側面が存在することになり、この側面により開口と上面との間に形成される間隙から文書が外部へ放出されることを阻止することができる。
【００１９】
請求項４に記載の発明によれば、投入口は、細幅かつ縦長の長穴形状を成し、投入口の長手方向と、一対の側面が相対向する方向が一致するように配置され、内箱は、上面の、投入口の幅方向に相対向する二辺のうち、投入口が近接する一辺に連設し、内箱内に収容された文書が、開口と上面との間に形成される間隙から文書回収箱の外部へ放出されることを阻止する文書放出阻止片を有するので、間隙と内箱内は、文書放出阻止片を介して遮蔽されることとなり、投入口から内箱内へ一旦投入された文書は、間隙から文書回収箱の外部へ放出されることはなくなり、仮に部外者が、手を間隙から文書回収箱内に挿入した場合であっても、中の文書を取り出すことが困難となり機密保持性を向上することができる。
【００２０】
請求項５に記載の発明によれば、投入口は、上面の、投入口の幅方向に相対向する二辺のうち、いずれか一辺に近接する位置に配置されたので、上面のうち投入口が存在する範囲と反対側の範囲には、第１フラップ部により内箱を外箱内に固定するのに十分なスペースを確保することができ、第１フラップ部を閉じた状態では、外箱から内箱を取り出すことが困難となり、機密保持性を一層向上することができる。
【００２１】
請求項６に記載の発明によれば、開口は、四角形状を成し、第１フラップ部は、開口の四辺に連設する少なくとも１以上の舌片を有し、第２フラップ部は、開口の四辺のうち第１フラップ部が連設する辺以外の辺に連設するので、簡易な構造により、第１フラップ部の舌片を開口の中央側に折り畳むだけで容易に内箱を外箱内に固定することができ、第２フラップ部を開口の中央側に折り畳むだけで投入口を封緘することができ、機密保持性を維持しつつ、組み立て性、利便性を向上することができる。
【発明を実施するための最良の形態】
【００２２】
以下、図面を参照して本発明の実施の形態について説明する。図１は、本発明の第１実施形態に係る文書回収箱１の組立後の外観構成を示す図であり、図２は、文書回収箱１の組立前の状態を示した図であり、図３は、文書回収箱１の組立途中の状態を示した図である。
【００２３】
図１から図３に示すように、文書回収箱１は、機密文書等を含む文書を回収するためのものであり、内箱１００と、内箱１００が挿入される外箱２００により構成されている。内箱１００及び外箱２００は、例えば、波状に屈曲した中板の表裏面にそれぞれライナーを張り合わせて形成される両面ダンボール紙等のダンボール紙が使用される。また、材料として、ダンボール紙の他に、厚紙または保形性の高い合成樹脂板を使用しても良い。
【００２４】
まず、内箱１００の構成について説明する。内箱の上面１０２は、四辺１０２ａ，１０２ｂ，１０２ｃ，１０２ｄから成る四角形状を形成し、相対向する二辺１０２ａ，１０２ｃには、一対の側面１０３，１０３が連設している。一対の側面１０３，１０３は、上面１０２を支持している。一対の側面１０３，１０３には、内箱の上面１０２に対向する底面１０４が連設している。これら上面１０２、一対の側面１０３，１０３、底面１０４に囲繞される空間には、筒状の貫通穴１３０が形成されている。
【００２５】
また、上面１０２には、機密文書などを投入する投入口１１０が穿設され、投入口１１０は、細幅かつ縦長の長穴形状に形成されており、例えば、Ａ４サイズの文書を投入できるように所定の大きさに設定されている。この投入口１１０は、投入口１１０の長手方向Ｑと、一対の側面１０３，１０３が相対向する方向Ｒが一致するように、上面１０２に配置されており、上面１０２の、投入口１１０の幅方向Ｐに相対向する二辺１０２ｂ，１０２ｄのうち、辺１０２ｂに近接する位置に配置されている。また、投入口１１０の幅方向Ｐと、貫通穴１３０が貫通する方向とが一致するようになっている。かかる構成により、上面１０２のうち辺１０２ｂと対向する辺１０２ｄに近接する範囲には、後述する第１フラップ部により内箱１００を外箱２００内に固定するのに十分なスペースを確保することができ、第１フラップ部を閉じた状態では、外箱２００から内箱１００を取り出すことが困難となり、機密保持性を一層向上することができる。
【００２６】
貫通穴１３０の左右両側には、一対の補強片１０３ａ，１０３ａが連設し、一対の側面１０３，１０３を補強している。なお、貫通穴１３０の貫通方向であって、一対の補強片１０３ａ，１０３ａと反対側には、一対の補強片１０３ｂ，１０３ｂ（図４参照）が連設し、一対の側面１０３，１０３を補強している。
【００２７】
貫通穴１３０の上側であって、上面１０２の相対向する二辺１０２ｂ，１０２ｄには、それぞれ上側片１３０ａ，１３０ｃが連設している。一方、貫通穴１３０の下側であって、底面１０４の相対向する二辺１０４ｂ，１０４ｄ（図４参照）には、それぞれ下側片１３０ｂ，１３０ｄが連設している。これら上側片１３０ａ，１３０ｃ及び下側片１３０ｂ，１３０ｄは、内箱１００を外箱２００に挿入した後に、ダンボール紙が有する弾性力に基づき、外箱２００の内側を付勢することにより、外箱２００内で内箱１００の位置ずれを防止できるようになっている。
【００２８】
次に、内箱１００の組み立て方法について説明する。図４は、内箱１００の展開平面図である。図４に示すように、内箱１００は、展開状態において、上面１０２と、一対の側面１０３，１０３と、底面１０４を連設した平板状に形成されている。このように、内箱１００を平板状に形成することにより、構造が単純化され、内箱１００の製造時においてダンボールの使用量を極力抑えて、軽量化及び製造コストダウンを図ることができると共に、組み立て性を向上することができる。ここで、上面１０２の辺１０２ｃと反対側の辺１０２ａには、糊代部１４０が連設している。
【００２９】
まず、上面１０２と一方の側面１０３を辺１０２ｃに沿って折り曲げて、底面１０４を辺１０４ｃに沿って折り曲げることにより、上面１０２と底面１０４を相対向させる。さらに、他方の側面１０３を辺１０４ａに沿って折り曲げて、一対の側面１０３，１０３を相対向させた後に、他方の側面１０３の辺１０４ａと反対側の端部１０３ｃと、上面１０２の糊代部１４０とを貼着する。これにより、図２に示す筒状の貫通穴１３０が形成されることとなる。
【００３０】
さらに、補強片１０３ａ，１０３ｂを貫通穴１３０の中央に向けて折り曲げた後、上側片１３０ａ，１３０ｃ及び下側片１３０ｂ，１３０ｄを貫通穴１３０の中央に向けて折り曲げることにより、図２に示すように、底面１０４の周縁から一対の側面１０３，１０３が立設している内箱１００の組立状態となる。
【００３１】
なお、内箱１００の搬送時には、内箱１００は、補強片１０３ａ，１０３ｂ、上側片１３０ａ，１３０ｃ及び下側片１３０ｂ，１３０ｄを全て開いた状態とし、辺１０２ｃ及び辺１０４ａ、若しくは、辺１０２ａ及び辺１０４ｃに沿って折り畳まれ、平板状になるようになっている。このように内箱１００を平板状に折り畳むことで、内箱１００の個々の容積が少なくなり、輸送効率を向上することができる。
【００３２】
次に、外箱２００の構成について説明する。外箱２００は、図２に示すように、四角形状の外箱底面２０２と、外箱底面２０２の四辺２０２ａ，２０２ｂ，２０２ｃ，２０２ｄ（図５参照）にそれぞれに連設し、外箱底面２０２に対して立設する外箱側面２０４，２０５，２０６，２０７を有している。外箱側面２０４，２０５，２０６，２０７は、内箱１００の一対の側面１０３，１０３よりもやや高く形成されている。外箱底面２０２は、後述するように、四辺２０２ａ，２０２ｂ，２０２ｃ，２０２ｄにそれぞれ連設している外箱底面板２０，２２，２４，２６（図５参照）を組み合わせることにより形成される。
【００３３】
外箱２００の外箱底面２０２と反対側の端部には、開口２１０が設けられている。開口２１０は、外箱側面２０４，２０５，２０６，２０７の、四辺２０２ａ，２０２ｂ，２０２ｃ，２０２ｄのそれぞれと反対側の端縁２１０ａ，２１０ｂ，２１０ｃ，２１０ｄに囲繞されることにより形成される。
【００３４】
この開口２１０は、内箱１００を外箱２００内に挿入するためのものであり、内箱１００の底面１０４よりもやや広く形成されている。したがって、外箱２００は、内箱１００を開口２１０から円滑に挿入することができるようになっており、外箱２００内に内箱１００が完全に挿入された状態では、開口２１０と上面１０２との間には、図１及び図３に示す僅かな間隙Ｋが形成されるようになっている。
【００３５】
内箱１００の上面１０２の、投入口１１０が近接する一辺１０２ｂに連設する上側片１３０ａは、外箱２００の内面側を付勢しており、外箱側面２０６と密接した状態となっている。よって、間隙Ｋと内箱１００内は、上側片１３０ａを介して遮蔽されることとなり、投入口１１０から内箱１００内へ一旦投入された文書は、間隙Ｋから文書回収箱１の外部へ放出されることはなくなる。かかる構成により、部外者が、手を間隙Ｋから文書回収箱１内に挿入した場合であっても、上側片１３０ａの存在により、中の文書を取り出すことが困難となり機密保持性が向上する。このとき、上側片１３０ａは、内箱１００内に収容された文書が、間隙Ｋから文書回収箱１の外部へ放出されることを阻止する文書放出阻止片として機能する。
【００３６】
開口２１０の三辺２１０ｄ，２１０ｃ，２１０ａには、それぞれ舌片２２０，２２２，２２４が連設しており、舌片２２０，２２２，２２４は、三辺２１０ｄ、２１０ｃ、２１０ａに沿って開口２１０の中央側へ折り曲げられるようになっている。舌片２２２，２２４を開口２１０の中央側へ折り曲げた状態では、舌片２２２，２２４の端部２２２ａ，２２４ａは、互いに接合するようになっている。また、開口２１０の舌片２２０，２２２，２２４が連設する三辺２１０ｄ，２１０ｃ，２１０ａ以外の辺２１０ｂには、第２フラップ部２３０が連設しており、第２フラップ部２３０は、辺２１０ｂに沿って開口２１０の中央側へ折り曲げられるようになっている。
【００３７】
次に、外箱２００の組み立て方法について説明する。図５は、外箱２００の展開平面図である。ここで、外箱側面２０７の右側縁２４０には、糊代部２０７ａが連設している。
【００３８】
まず、外箱側面２０４，２０５，２０６，２０７を辺２４２，２４４，２４６に沿って内方側に折り曲げた後、外箱側面２０６の辺２４６と反対側の端部２０６ａと、外箱側面２０７の糊代部２０７ａとを貼着することにより、筒状に形成せしめる。このとき、外箱底面板２６の左端部２６ａが外側、外箱底面板２４の右端部２４ａが内側となるように互いに重ね合わせ、次に、外箱底面板２４の左端部２４ｂが外側、外箱底面板２２の右端部２２ａが内側となるように互いに重ね合わせ、次に、外箱底面板２２の左端部２２ｂが外側、外箱底面板２０の右端部２０ａが内側となるように互いに重ね合わせ、最後に、外箱底面板２０の左端部２０ｂが外側、外箱底面板２６の右端部２６ｂが内側となるように互いに重ね合わせることにより、図２に示す外箱底面２０２が形成され、外箱２００の組立状態となる。この外箱底面２０２の構成は、例えば、アメリカンロック式、ワンタッチ自動底などの構成とするのが良く、かかる構成とすることにより、糊付けすることなく簡単に組み立てることができ、作業時間を短縮することができる。
【００３９】
なお、外箱２００の搬送時には、外箱２００は、舌片２２０，２２２，２２４、第２フラップ部２３０は全て開いた状態とし、辺２４０及び辺２４４、若しくは、辺２４２及び辺２４６を介して折り畳まれ、平板状となるようになっている。このように外箱２００を平板状とすることで、外箱２００の個々の容積が少なくなり、輸送効率を向上することができる。
【００４０】
次に、この文書回収箱１の組み立て方法について説明する。内箱１００及び外箱２００を上述したように、図２に示す組立状態とした後に、内箱１００の投入口１１０が近接する辺１０２ｂ側を、外箱２００の第２フラップ部２３０がある方向に向けて、内箱１００を外箱２００の開口２１０から外箱２００内へと挿入し、内箱１００の底面１０４を外箱２００の外箱底面２０２に当接させる。
【００４１】
内箱１００を外箱２００内に挿入した後に、図３に示すように、まず、舌片２２０を、辺２１０ｄに沿って開口２１０の中央側に折り曲げる。そして、舌片２２２，２２４を、それぞれ辺２１０ｃ，２１０ａに沿って、開口２１０の中央側に折り曲げて、舌片２２２，２２４の端部２２２ａ，２２４ａを互いに接合せしめ、両者を図示しない封緘用ラベル等で封印することにより図１に示す文書回収箱１の組立状態となる。この状態では、内箱１００の上面１０２は、投入口１１０に近接する範囲以外の範囲が舌片２２０，２２２，２２４により覆われ、内箱１００は、外箱２００内に固定される。これら舌片２２０，２２２，２２４は、内箱１００を外箱２００内に固定するための第１フラップ部として機能する。かかる構成の下、簡易な構造により容易に内箱１００を外箱２００内に固定することができ、文書回収箱１の利便性を向上することができる。一方、投入口１１０は、外部に露出した状態となっている。
【００４２】
次に、この文書回収箱１の使用方法を説明する。まず、文書回収箱１を、図１に示すように、組立状態とした後、投入口１１０から機密文書等の文書を投入する。この状態では、文書回収箱１は、細幅かつ縦長の投入口１１０を介してのみ外部へ挿通しているので、外部から文書回収箱１内部の文書を取り出し難く、高い機密保持性を確保することが可能となる。
【００４３】
文書回収箱１内の文書がほぼ満杯になったら、第２フラップ部２３０を、辺２１０ｂに沿って開口２１０の中央側へ折り曲げることにより投入口１１０を封緘する。この状態で、第２フラップ部２３０と、舌片２２２，２２４を図示しない封緘用のラベル等で封印することにより、文書回収箱１は、完全な密閉状態となる。この密閉状態を保ちつつ、文書入りの文書回収箱１を回収して製紙工場に搬送し、文書回収箱１ごと古紙パルプ化し、再生紙としてリサイクル処理する。この間、文書回収箱１は、完全な密閉状態を維持しているので、文書入りの文書回収箱１を回収して製紙工場に搬送している途中であっても、高い機密保持性を確保することが可能となる。また、文書回収箱１は、内箱１００及び外箱２００の二重構造となっているため、一重構造よりも構造上の強度が高く、製紙工場への搬送途中に文書回収箱が破損し、内部の文書が外部へ放出されることを防止することができる。さらに、機密文書を含む文書の入った文書回収箱１は、製紙工場などへ直接搬入し、文書回収箱１ごと直ちに再生紙原料として使用すれば、文書が抜き取られる機会はほぼなくなる。
【００４４】
次に、図６及び図７を用いて、本発明に係る文書回収箱の第２実施形態について説明する。第２実施形態においては、内箱の構成態様が第１実施形態と異なるが、その他の構成は同様であるため、第１実施形態と同様の構成には同じ符号を付してその説明を省略する。
【００４５】
図６は、本発明の第２実施形態に係る文書回収箱２の外観構成を示す図である。第２実施形態に係る文書回収箱２は、内箱３００と、内箱３００が挿入される外箱２００により構成されている。
【００４６】
内箱３００の構成について説明する。内箱の上面３０２は、四辺３０２ａ，３０２ｂ，３０２ｃ，３０２ｄから成る四角形状を形成し、相対向する二辺３０２ｂ，３０２ｄには、一対の側面３０３，３０３が連設している。一対の側面３０３，３０３は、上面３０２を支持している。一対の側面３０３，３０３には、内箱の上面３０２に対向する底面３０４が連設している。これら上面３０２、一対の側面３０３，３０３、底面３０４に囲繞される空間には、筒状の貫通穴３３０が形成されている。
【００４７】
また、上面３０２には、機密文書などを投入する投入口３１０が穿設され、投入口３１０は、細幅かつ縦長の長穴形状に形成されている。投入口３１０は、投入口３１０の幅方向Ｐと、一対の側面３０３，３０３が相対向する方向Ｒが一致するように、上面３０２に配置されており、上面３０２の、投入口３１０の幅方向Ｐに相対向する二辺３０２ｂ，３０２ｄのうち、辺３０２ｂに近接している。また、投入口３１０の長手方向Ｑと、貫通穴３３０が貫通する方向とが一致するようになっている。
【００４８】
貫通穴３３０の左右両側には、一対の補強片３０３ａ，３０３ａが連設し、一対の側面３０３，３０３を補強している。貫通穴３３０の貫通方向であって、一対の補強片３０３ａ，３０３ａと反対側には、一対の補強片３０３ｂ，３０３ｂが連設し、一対の側面３０３，３０３を補強している。
【００４９】
貫通穴３３０の上側には、上側片３３０ａ，３３０ｃが、上面３０２の二辺３０２ｃ，３０２ａにそれぞれ連設している。一方、貫通穴３３０の下側には、下側片３３０ｂ，３３０ｄが、底面３０４の二辺３０４ｂ，３０４ｄ（図７参照）にそれぞれ連設している。これら上側片３３０ａ，３３０ｃ及び下側片３３０ｂ，３３０ｄは、内箱３００を外箱２００に挿入した後に、ダンボール紙が有する弾性力に基づき、外箱２００の内面側を付勢することにより、外箱２００内で内箱３００の位置ずれを防止するようになっている。
【００５０】
次に、内箱３００の組み立て方法について説明する。図７は、内箱３００の展開平面図である。ここで、底面３０４の辺３０４ｂと反対側の辺３０４ｄには、糊代部３４０が連設している。
【００５１】
まず、上面３０２に対して一方の側面３０３を辺３０２ｂに沿って折り曲げて、さらに、他方の側面３０３を辺３０２ｄに沿って折り曲げることにより、上面３０２に対して一対の側面３０３，３０３を起立させる。さらに、底面３０４を辺３０４ｂに沿って折り曲げた後に、側面３０３の辺３０２ｂと反対側の端部３０３ｃと、底面の糊代部３４０とを貼着する。これにより、図６に示す筒状の貫通穴３３０が形成されることとなる。
【００５２】
さらに、補強片３０３ａ，３０３ｂを貫通穴３３０の中央に向けて折り曲げた後、上側片３３０ａ，３３０ｃ及び下側片３３０ｂ，３３０ｄを貫通穴３３０の中央に向けて折り曲げることにより、図６に示すように、底面３０４の周縁から一対の側面３０３，３０３が立設している内箱３００の組立状態となる。
【００５３】
なお、内箱３００の搬送時には、内箱３００は、補強片３０３ａ，３０３ｂ、上側片３３０ａ，３３０ｃ及び下側片３３０ｂ，３３０ｄを全て開いた状態とし、辺３０２ｂ及び辺３０４ｂ、若しくは、辺３０２ｄ及び辺３０４ｄを介して折り畳まれ、平板状となるようになっている。このように内箱１００を平板状に折り畳むことで、内箱３００の個々の容積が少なくなり、輸送効率を向上することができる。
【００５４】
この文書回収箱２の組み立て方法は、第１実施形態と同様の手順となり、内箱３００及び外箱２００を上述したように、図６に示す組立状態とした後に、内箱３００の投入口３１０が近接する辺３０２ｂ側を、外箱２００の第２フラップ部２３０がある方向に向けて、内箱３００を外箱２００の開口２１０から外箱２００内へと挿入し、内箱３００の底面３０４を外箱２００の外箱底面２０２に当接させる。
【００５５】
なお、第２実施形態に係る文書回収箱２においては、投入口３１０が近接する一辺３０２ｂには、一方の側面３０３が連設している。この側面３０３の存在により、第２実施形態に係る文書回収箱２は、開口２１０と上面３０２との間に形成される間隙から文書が外部へ放出されることを阻止することができるので、文書放出阻止片を設けることなく、第１実施形態に係る文書回収箱１と同様の効果を得ることができる。
【００５６】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。例えば、投入口は、細幅かつ縦長の長穴形状を形成しているが、更に投入口にシューター等を設け、内箱内の文書を投入口から覗き見できないように構成しても良い。また、第１フラップ部は、３つの舌片を有し、この３つの舌片により、内箱を外箱内に固定する構成としたが、かかる舌片は、１又は２つの舌片でも内箱を外箱内に固定できるのであれば、１又は２つとしても良いし、４つ以上設けても良い。
【図面の簡単な説明】
【００５７】
【図１】本発明の第１実施形態に係る文書回収箱の組立状態を示す斜視図である。
【図２】文書回収箱の組立前の状態を示す斜視図である。
【図３】文書回収箱の組立途中の状態を示す斜視図である。
【図４】内箱の展開平面図である。
【図５】外箱の展開平面図である。
【図６】本発明の第２実施形態に係る文書回収箱の組立前の状態を示す斜視図である。
【図７】内箱の展開平面図である。
【符号の説明】
【００５８】
１，２                                  文書回収箱
１００，３００                          内箱
１０２                                  内箱の上面
１０２ａ，１０２ｂ，１０２ｃ，１０２ｄ  上面の四辺
１０３                                  内箱の側面
１０４                                  内箱の底面
１１０                                  投入口
１３０ａ                                文書放出阻止片
２００                                  外箱
２１０                                  開口
２１０ａ，２１０ｂ，２１０ｃ，２１０ｄ  開口の四辺
２２０，２２２，２２４                  舌片（第１フラップ部）
２３０                                  第２フラップ部
３０３                                  内箱の側面
３１０                                  投入口
Ｋ                                      間隙
Ｐ                                      幅方向
Ｑ                                      長手方向
Ｒ                                      一対の側面が相対向する方向
【図１】
2008037470.tif 000003
【図２】
2008037470.tif 000004
【図３】
2008037470.tif 000005
【図４】
2008037470.tif 000006
【図５】
2008037470.tif 000007
【図６】
2008037470.tif 000008
【図７】
2008037470.tif 000009